(57)【要約】  太陽電池パネルの長期にわたる緩慢劣化を診断することができる診断装置を提供する。診断装置（１０）は、取得部（１５）と診断部（１６）とを備える。取得部（１５）は、計測期間において太陽電池パネルが発電する発電電力を表す電力データと、計測期間中における診断用モジュールが発電する診断用電力を表す診断用データとを取得する。診断部（１６）は、診断用データを用いて太陽電池パネルが劣化していないと仮定した場合における計測期間での見做し電力量を算出する。診断部（１６）は、電力データで表される発電電力から得られる発電電力量と見做し電力量とを比較して、太陽電池パネルの劣化を診断する。
2016170558.tif 000002
【特許請求の範囲】
【請求項１】
所定の期間において太陽電池パネルが発電する発電電力を表す電力データと、前記期間中において診断用モジュールが発電する診断用電力を表す診断用データとを取得する取得部と、
前記取得部で取得された前記診断用データを用いて前記太陽電池パネルが劣化していないと仮定した場合における前記期間での見做し電力量を算出し、前記電力データで表される前記発電電力から得られる発電電力量と前記見做し電力量とを比較して、前記太陽電池パネルの劣化を診断する診断部とを備える
ことを特徴とする診断装置。
【請求項２】
前記取得部は、
前記期間前において、さらに、所定の標準環境下で前記診断用モジュールが発電する出力電力を表す第１データを取得し、
前記期間後において、さらに、前記標準環境下で前記診断用モジュールが発電する出力電力を表す第２データを取得し、
前記診断部は、
前記第１データと前記第２データとを用いて前記期間における前記診断用モジュールの劣化度を算出し、算出された前記診断用モジュールの前記劣化度を用いて前記診断用データを補正することで、前記診断用モジュールが前記期間で発電した診断用電力量を取得し、取得した前記診断用電力量を用いて前記見做し電力量を算出する
ことを特徴とする請求項１に記載の診断装置。
【請求項３】
前記診断部は、
前記診断用モジュールが定格で前記診断用電力量を発電した場合における発電時間を算出し、前記発電時間と前記太陽電池パネルの定格の発電電力とから前記見做し電力量を算出する
ことを特徴とする請求項２に記載の診断装置。
【請求項４】
請求項１〜３のいずれかに記載の前記診断装置と、
前記太陽電池パネルで発電される前記発電電力を計測し、計測された前記発電電力を表す前記電力データを前記診断装置へ出力する第１計測装置と、
前記診断用モジュールで発電される前記診断用電力を計測し、計測された前記診断用電力を表す前記診断用データを前記診断装置へ出力する第２計測装置と、
前記診断用モジュールとを備える
ことを特徴とする診断システム。
【請求項５】
前記診断用モジュールは、前記第２計測装置と着脱可能である
ことを特徴とする請求項４に記載の診断システム。
【請求項６】
所定の期間において太陽電池パネルが発電する発電電力を表す電力データと、前記期間中において診断用モジュールが発電する診断用電力を表す診断用データとを取得する取得処理と、
前記取得処理で取得された前記診断用データを用いて前記太陽電池パネルが劣化していないと仮定した場合における前記期間での見做し電力量を算出し、前記電力データで表される前記発電電力から得られる発電電力量と前記見做し電力量とを比較して、前記太陽電池パネルの劣化を診断する診断処理とを含む
ことを特徴とする診断方法。
【発明の詳細な説明】
【技術分野】
【０００１】
本発明は、一般に診断装置、診断システムおよび診断方法に関し、より詳細には太陽電池パネルの劣化を診断する診断装置、診断システムおよび診断方法に関する。
【背景技術】
【０００２】
太陽光発電システムにおいては、そのシステムが備える太陽電池パネルに故障や劣化による不具合が生じて発電量が低下することがある。近年においては、故障等の突発的な不具合の検知だけではなく、長期的な売電収入との関係から、緩慢劣化といった長期にわたる緩やかな劣化による不具合を検知する必要性も高まっている。太陽電池パネルの故障や劣化による不具合について、太陽光発電システムから太陽電池パネルを取り外すことなく、通常の発電運転状況下で検出するための方法が多く提案されている。例えば、日本国特許公開番号Ｈ７−３３４７６７（以下、文献１）、日本国特許公開番号２０００−４０８３８、日本国特許公開番号２０１３−２１９１３８および日本国特許公開番号Ｈ８−６４６５３に、その方法が記載されている。【０００３】
例えば、文献１では、太陽光発電システムにおいて、複数の太陽電池モジュールが直列に接続されたストリングス毎に発電量や電流、電圧等の発電特性を計測し、それらをストリングス間で比較する方法が記載されている。これによれば、例えば、他より低い発電量のストリングスに対して、パネル不具合による発電量低下があることを判断することができる。【０００４】
しかしながら、太陽光発電システム（太陽電池パネル）全体が同等に緩やかな劣化を起こしている場合においては、ストリングス間での顕著な発電量差を検出することは困難であり、即ち、長期にわたる緩やかな劣化不具合を検知することは困難である。【０００５】
つまり、従来の方法では、主に故障に起因する比較的大きな発電量低下を検知することは容易であるが、例えば、長期にわたる緩慢劣化等に起因する比較的小さな発電量低下を検知することは困難である。言い換えると、従来の方法では、長期にわたる緩慢劣化を検出（診断）することが困難である。
【発明の概要】
【０００６】
そこで、本発明は、上記事由に鑑みてなされており、その目的は、太陽電池パネルの長期にわたる緩慢劣化を診断することができる診断装置、診断システムおよび診断方法を提供することにある。
【０００７】
本発明の診断装置は、所定の期間において太陽電池パネルが発電する発電電力を表す電力データと、前記期間中において診断用モジュールが発電する診断用電力を表す診断用データとを取得する取得部と、前記取得部で取得された前記診断用データを用いて前記太陽電池パネルが劣化していないと仮定した場合における前記期間での見做し電力量を算出し、前記電力データで表される前記発電電力から得られる発電電力量と前記見做し電力量とを比較して、前記太陽電池パネルの劣化を診断する診断部とを備えることを特徴とする。
【０００８】
また、本発明の診断システムは、本発明の前記診断装置と、前記太陽電池パネルで発電される前記発電電力を計測し、計測された前記発電電力を表す前記電力データを前記診断装置へ出力する第１計測装置と、前記診断用モジュールで発電される前記診断用電力を計測し、計測された前記診断用電力を表す前記診断用データを前記診断装置へ出力する第２計測装置と、前記診断用モジュールとを備えることを特徴とする。
【０００９】
また、本発明の診断方法は、所定の期間において太陽電池パネルが発電する発電電力を表す電力データと、前記期間中において診断用モジュールが発電する診断用電力を表す診断用データとを取得する取得処理と、前記取得処理で取得された前記診断用データを用いて前記太陽電池パネルが劣化していないと仮定した場合における前記期間での見做し電力量を算出し、前記電力データで表される前記発電電力から得られる発電電力量と前記見做し電力量とを比較して、前記太陽電池パネルの劣化を診断する診断処理とを含むことを特徴とする。
【００１０】
本発明によると、太陽電池パネルの長期にわたる緩慢劣化を診断することができる。
【図面の簡単な説明】
【００１１】
【図１】実施形態の診断装置を説明するブロック図である。
【図２】実施形態の診断システムを説明する図である。
【図３】実施形態の診断装置の動作を説明する流れ図である。
【発明を実施するための形態】
【００１２】
１  実施形態
以下、本実施形態について説明する。なお、本発明の実施形態については、以下に説明するものに限定されるものではなく、実施形態に種々の変更を加えた態様やそれらと均等な技術的範囲も含まれる。
【００１３】
１．１  構成
本実施形態の診断装置１０は、建物に設置された太陽電池パネルの劣化度合いを定量化し、太陽電池パネルの劣化を診断する装置であり、図１に示すように、制御部１１、通信部１２、記憶部１３および表示部１４を備えている。
【００１４】
診断装置１０は、図２に示すように、診断システム１に含まれている。診断システム１は、図２に示すように、診断装置１０に加えて、太陽電池パネル２０、診断用モジュール３０、第１計測装置４０、第２計測装置５０、切替器６０および変換装置７０を備えている。
【００１５】
太陽電池パネル２０は、図２に示すように、建物の屋根２に設置され、太陽光を利用して、建物へ電力を供給する。太陽電池パネル２０は、図２に示すように、複数の太陽電池ストリング２１を備えている。複数の太陽電池ストリング２１のそれぞれは、直列接続された複数の太陽電池モジュール２２を含んでいる。また、複数の太陽電池モジュールのそれぞれは、１つ以上の太陽電池セルを含んでいる。なお、本実施形態では、太陽電池パネル２０は、複数の太陽電池ストリング２１を備えているとしているが、太陽電池ストリング２１の数は、これに限定されない。太陽電池ストリング２１の数は１つであってもよい。
【００１６】
診断用モジュール３０は、１つ以上の太陽電池セルを含み、太陽電池パネル２０（特に太陽電池モジュール２２）と同様に、太陽光を電力に変換する。診断用モジュール３０は、太陽電池パネル２０の劣化を診断するために用いられる。診断用モジュール３０は、第２計測装置５０に着脱可能であり、利用時に第２計測装置５０にコネクタ接続される。また、診断用モジュール３０は、設置場所の変更が可能、つまり移設可能である。そのため、診断用モジュール３０は、運搬が容易であり、その大きさは、一般的に流通、販売が行われているモジュールサイズ（例えば１．７ｍ×１ｍ）以下が好ましい。さらに、診断用モジュール３０は、太陽電池セルの故障またはハンダ接合部分での故障の影響を受けにくくすることや、部分的な影による発電出力低下の影響を取り除くために、太陽電池セルの枚数を少なくした小型モジュールであることが好ましい。また、太陽電池パネル２０に対する劣化診断の精度を高める観点から、診断対象となる太陽電池パネル２０と診断用モジュール３０との照度特性、温度特性といった発電特性を同様とすることが好ましい。そこで、診断用モジュール３０に用いられる太陽電池セルおよびモジュールの構造、材質は、診断対象となる太陽電池パネル２０を構成する太陽電池モジュール２２に用いられているセルおよびモジュールの材質、構造と同様のものとすることが好ましい。また、信頼性の高い材料や構造を用い、診断対象となる太陽電池パネル２０やそれを構成する太陽電池モジュール２２の照度特性、温度特性といった発電特性と同様になるように診断用モジュール３０を構成することは、劣化診断の精度を高める観点から、さらに好ましい。診断用モジュール３０は、使用されない場合には、劣化を防ぐために、第２計測装置５０から離脱し、所定の保管場所で保管される。
【００１７】
第１計測装置４０は、太陽電池パネル２０が発電する発電電力を計測し、その結果を診断装置１０に通知する装置である。
【００１８】
第２計測装置５０は、診断用モジュール３０が発電する出力電力を計測し、その結果を診断装置１０に通知する装置である。第２計測装置５０は、診断用モジュール３０と同様に、移設可能である。そのため、診断用モジュール３０の移動に応じて、第２計測装置５０も移動される。
【００１９】
切替器６０は、図２に示すように、複数の太陽電池ストリング２１のそれぞれに接続された１対の配線が集線され、変換装置７０との間の回路を開閉する直流遮断器６１が収納されている。直流遮断器６１が開閉することで、太陽電池パネル２０で発電された直流電力を、変換装置７０へ供給したり、遮断したりする。
【００２０】
変換装置７０は、太陽電池パネル２０で発電された直流電力を切替器６０を介して取得し、取得した直流電流を交流電力に変換して、変換された交流電力を、電力系統に逆潮流させたり、建物内の負荷へ供給したりする。
【００２１】
以下、本実施形態における診断装置１０、第１計測装置４０および第２計測装置５０の構成について説明する。
【００２２】
（１）診断装置１０
診断装置１０は、上述したように、制御部１１、通信部１２、記憶部１３および表示部１４を備えている（図１参照）。診断装置１０は、プロセッサやコンピュータで読み取りが可能なメモリ（記録媒体）を有しており、制御部１１の機能は、メモリに記憶されているプログラムをプロセッサが実行することにより実現される。
【００２３】
（１−１）制御部１１
制御部１１は、図１に示すように、取得部１５および診断部１６を備えている。
【００２４】
取得部１５は、所定の期間（計測期間）中で第１計測装置４０が計測した太陽電池パネル２０の発電電力を表す電力データを取得する。取得部１５は、計測期間前に第２計測装置５０で計測された診断用モジュール３０が所定の標準環境下で発電した最大出力電力を表す第１診断用データ（第１データ）を取得する。取得部１５は、計測期間後に第２計測装置５０で計測された診断用モジュール３０が所定の標準環境下で発電した最大出力電力を表す第２診断用データ（第２データ）を取得する。さらに、取得部１５は、計測期間中で第２計測装置５０が計測した診断用モジュール３０が発電した診断用電力（出力電力）を表す第３診断用データ（診断用データ）を取得する。取得部１５は、取得した電力データおよび第１診断用データ、第２診断用データおよび第３診断用データを記憶部１３に記憶する。ここで、所定の標準環境とは、例えばＪＩＳ規格ＪＩＳ  Ｃ  ８９４１で規定されたモジュール温度２５℃、分光分布エアマス１．５、放射強度１０００Ｗ／ｍ2となる環境である。また、第１診断用データと第２診断用データは第２計測装置５０以外の装置で計測しても、その計測装置と第２計測装置５０との間の計測値補正ができる場合、何ら本発明を妨げるものではない。
【００２５】
診断部１６は、記憶部１３で記憶されている電力データ、第１診断用データ、第２診断用データおよび第３診断用データを用いて、太陽電池パネル２０の劣化を診断する。診断部１６は、次式の数１を用いて、太陽電池パネル２０の劣化率ηを算出する。
【００２６】
【数１】
2016170558.tif 000003
【００２７】
ここで、Ｔは、計測期間の時間［ｈ］である。Ｍ0は、太陽電池パネル２０の定格出力（定格の発電電力）［Ｗ］である。Ｍ（ｔ）は、計測期間中の所定の単位期間（時間長）ごと（例えば１分ごと）における太陽電池パネル２０の発電電力［Ｗ］の推移を表す時間ｔの関数である。Ｍ（ｔ）で表される値が、上述した電力データに相当する。また、Ｓ0は、計測期間前において所定の標準環境下で第２計測装置５０で計測された診断用モジュール３０が発電した最大出力電力であり、上述した第１診断用データで表される値である。ＳTは、計測期間後において所定の標準環境下で第２計測装置５０で計測された診断用モジュール３０が発電した最大出力電力であり、上述した第２診断用データで表される値である。Ｗs（ｔ）は、計測期間中の所定の単位期間ごと（例えば１分ごと）における診断用モジュールの診断用電力［Ｗ］の推移を表す時間ｔの関数である。Ｗs（ｔ）で表される値が、上述した第３診断用データに相当する。本実施形態では、太陽電池パネル２０が設置された場所（第１の場所）とは異なる場所（第２の場所）、例えば実験室等で標準環境を作り出し、計測期間前後の診断用データを取得する。
【００２８】
上述した数１で太陽電池パネルの劣化率を算出することができる理由を述べる。
【００２９】
太陽電池パネル２０の劣化率ηは、数２で表される。
【００３０】
【数２】
2016170558.tif 000004
【００３１】
ここで、ＥMは、太陽電池パネル２０が計測期間中に発電した発電電力量［Ｗｈ］であり、上述した電力データで表される値である。また、ＥiMは、太陽電池パネル２０の劣化が無かったと仮定した場合において計測期間中に発電した発電電力量［Ｗｈ］（見做し電力量）である。
【００３２】
また、計測期間において、均一に劣化したと仮定した場合の単位時間当たりの診断用モジュール３０の劣化率η0は、上述した計測期間Ｔ、第１診断用データＳ0および第２診断用データＳTを用いて、数３で表される。
【００３３】
【数３】
2016170558.tif 000005
【００３４】
この場合、診断用モジュール３０が計測期間中に劣化しなかったと仮定した場合に、計測期間中の所定の単位期間ごと（例えば１分ごと）における電力の推移を表す診断用電力ＷiS（ｔ）［Ｗ］は、数４で表される。診断用電力ＷiS（ｔ）は、時間ｔの関数である。数４によると、診断用電力ＷiS（ｔ）は、第３診断用データＷS（ｔ）を、第１診断用データＳ0および第２診断用データＳTで補正することで得られる。
【００３５】
【数４】
2016170558.tif 000006
【００３６】
そして、診断用モジュール３０が計測期間中に劣化しなかったと仮定した場合での計測期間中における診断用モジュール３０の診断用電力量ＥiS［Ｗｈ］は、数４で表される診断用電力ＷiS（ｔ）の積分値を算出ことで得られる（数５参照）。
【００３７】
【数５】
2016170558.tif 000007
【００３８】
診断用モジュール３０が常に定格で発電していたと見做した場合において、数５で算出された診断用電力量ＥiSに対する発電時間ＴN［ｈ］は、数６で表される。
【００３９】
【数６】
2016170558.tif 000008
【００４０】
また、太陽電池パネル２０が計測期間中に発電した発電電力量ＥM［Ｗｈ］は、計測期間中の所定の単位期間ごと（例えば１分ごと）での太陽電池パネル２０の電力の推移を表す発電電力Ｍ（ｔ）を用いて、数７で表される。
【００４１】
【数７】
2016170558.tif 000009
【００４２】
また、太陽電池パネル２０の劣化が無かったと仮定した場合での計測期間中に発電した発電電力量ＥiM［Ｗｈ］（見做し電力量）は、太陽電池パネル２０の定格出力Ｍ0と、数７で得られる発電時間ＴN［ｈ］とを用いて、数８で表される。
【００４３】
【数８】
2016170558.tif 000010
【００４４】
よって、数２、数７および数８より、上述した数１が得られる。以上説明したように、診断部１６は、第１診断用データ、第２診断用データおよび第３診断用データを用いて算出した見做し電力量と、太陽電池パネル２０の発電電力量とを比較する。具体的には、診断部１６は、発電電力量から見做し電力量を除算して、太陽電池パネル２０の劣化を診断することができる。
【００４５】
以上説明したように、計測期間の前後において、所定の標準環境下で、計測された最大出力電力の差分、即ち劣化量を定量化できる（数３参照）。これらにより、計測期間において太陽電池パネル２０に劣化が生じていないと見做した場合に発電される見做し電力量を見積ることができる（数８参照）。
【００４６】
数１で示すように、見做し電力量と、太陽電池パネル２０の発電電力量とを比較することにより、長期にわたる緩慢劣化に起因した比較的小さな発電量低下を検知することが可能となる。
【００４７】
（１−２）通信部１２
通信部１２は、第１計測装置４０で送信された電力データを受信し、受信した電力データを制御部１１へ出力する。通信部１２は、第２計測装置５０で送信された診断用データ（第１診断用データ、第２診断用データおよび第３診断用データ）を受信し、受信した診断用データを制御部１１へ出力する。
【００４８】
（１−３）記憶部１３
記憶部１３は、例えば書き換え可能な半導体メモリであって、取得部１５で取得された電力データ、診断用データ（第１診断用データ、第２診断用データおよび第３診断用データ）を、時系列に従って記憶する。
【００４９】
（１−４）表示部１４
表示部１４は、ディスプレイを備えており、診断部１６で診断された結果を表示する。
【００５０】
（２）第１計測装置４０
第１計測装置４０は、図２に示すように、計測部４１および通信部４２を備えている。
【００５１】
計測部４１は、直流用電子負荷、および太陽電池パネル２０の発電容量に応じた可変抵抗器等を含んでおり、計測期間中で太陽電池パネル２０が発電した発電電力を単位期間ごとに計測する。計測部４１は、計測を行う度にその結果を表す電力データを出力する。具体的には、計測部４１は、太陽電池ストリング２１のそれぞれから出力される直流電流および直流電圧のうち少なくとも一方を基に発電電力を計測し、計測した発電電力を表す電力データを通信部４２を介して診断装置１０へ出力する。具体的には、計測部４１は、単位時間ごとの最大発電電力を発電電力として計測する。
【００５２】
通信部４２は、計測部４１で出力された電力データを診断装置１０へ送信する。
【００５３】
（３）第２計測装置５０
第２計測装置５０は、図２に示すように、計測部５１および通信部５２を備えている。
【００５４】
計測部５１は、直流用電子負荷、および診断用モジュール３０の発電容量に応じた可変抵抗器等を含んでいる。
【００５５】
計測部５１は、計測期間前および計測期間後に、太陽電池パネル２０の設置場所（第１の場所）とは異なる場所（第２の場所）に設置された診断用モジュール３０が汎用のソーラーシミュレーターを用いた所定の標準環境下で発電した最大出力電力を計測する。計測部５１は、計測期間中において、所定の単位期間ごとに、太陽電池パネル２０の設置場所と同一の設置場所に設置された診断用モジュール３０が発電した最大出力電力を計測する。計測部５１は、計測によって得られた診断用データ（第１診断用データ、第２診断用データおよび第３診断用データ）を通信部４２を介して診断装置１０へ出力する。具体的には、計測部５１は、診断用モジュール３０から出力される直流電流および直流電圧のうち少なくとも一方を基に発電電力を計測し、計測した発電電力を表す電力データを通信部４２を介して診断装置１０へ出力する。
【００５６】
また、劣化診断の精度を高める観点から、計測期間中における診断用モジュール３０の設置条件は、日射量や気温等が、太陽電池パネル２０と同様になることが望ましい。そのため、計測期間中における診断用モジュール３０の設置場所は、太陽電池パネル２０の設置場所と同一の場所（太陽電池パネル２０の近傍）であり、かつ、同等の方位、設置角度、高さとすることが望ましい。
【００５７】
通信部５２は、計測部５１で出力された診断用データを診断装置１０へ送信する。
【００５８】
１．２  動作
ここでは、診断装置１０の動作について、図３に示す流れ図を用いて説明する。
【００５９】
診断装置１０の取得部１５は、電力データおよび診断用データ（第１診断用データ、第２診断用データおよび第３診断用データ）を取得する（ステップＳ５）。具体的には、取得部１５は、計測期間前に、診断用モジュール３０の第１診断用データを第２計測装置５０から取得する。取得部１５は、計測期間中に、太陽電池パネル２０の電力データを第１計測装置４０から取得し、診断用モジュール３０の第３診断用データを第２計測装置５０から取得する。取得部１５は、計測期間後に、診断用モジュール３０の第２診断用データを第２計測装置５０から取得する。取得部１５は、取得した電力データおよび診断用データを記憶部１３に記憶する。
【００６０】
診断装置１０の診断部１６は、記憶部１３で記憶されている電力データ、第１診断用データ、第２診断用データおよび第３診断用データを用いて、太陽電池パネル２０の劣化を診断する（ステップＳ１０）。診断部１６は、上述した数１を用いて、太陽電池パネル２０の劣化率ηを算出する。診断部１６は、診断結果を表示部１４で表示する。
【００６１】
１．３  変形例
以上、実施形態に基づいて本発明について説明したが、本発明は上述した実施形態に限られない。例えば、以下のような変形例が考えられる。
【００６２】
（１）上記実施形態では、太陽電池パネル２０と診断用モジュール３０とを比較して、太陽電池パネル２０の劣化を診断したが、これに限定されない。
【００６３】
太陽電池ストリング２１ごとに、診断用モジュール３０と比較して、太陽電池ストリング２１ごとに劣化を診断してもよい。
【００６４】
（２）上記実施形態で示す演算式は一例であり、診断用モジュール３０の設置前の事前検討データ等に基づく補正の追加、もしくは演算式の追加等を行ってもよい。具体例としては、診断用モジュール３０の温度特性データを取得しておき、診断対象となる太陽電池パネル２０やそれを構成する太陽電池モジュール２２の温度特性との間で補正を行うというものである。この補正のために、診断用モジュール３０や太陽電池パネル２０の温度計測データを計測部５１、４１にそれぞれ取り込み、それぞれ通信部５２、４２を経て診断装置１０で演算を行う構成としても、何ら本発明を妨げるものではない。
【００６５】
（３）上記実施形態では、診断用モジュール３０の移設に応じて、第２計測装置５０も移設されるとしたが、これに限定されない。
【００６６】
第２計測装置５０は、第１の場所および第２の場所のそれぞれに設置されていてもよい。または、診断用モジュール３０と第２計測装置５０とを一体化して計測場所を移動させてもよい。
【００６７】
（４）上記実施形態では、診断部１６は、第３診断用データＷS（ｔ）を第１診断用データＳ0および第２診断用データＳTで補正することにより、診断用電力ＷiS（ｔ）を算出したが、これに限定されない。
【００６８】
第３診断用データＷS（ｔ）を補正することなしに、診断用電力ＷiS（ｔ）としてもよい。つまり、ＷiS（ｔ）＝ＷS（ｔ）としてもよい。
【００６９】
（５）上記実施形態では、第２計測装置５０は、診断期間中では、単位期間ごとに診断用モジュール３０の最大出力電力を計測したが、これに限定されない。
【００７０】
第２計測装置５０は、所定の単位期間内で計測された出力電力の平均値を計測してもよい。この場合、第２計測装置５０が所定の単位期間内で計測された出力電力の平均値を計測する場合、第１計測装置４０は、発電電力として、所定の単位期間内で計測された出力電力の平均値を計測する。
【００７１】
また、診断期間前における一定の期間内で計測された出力電力の平均値を第１診断用データＳ0と、診断期間後における一定の期間内で計測された出力電力の平均値を第２診断用データＳTとしてもよい。
【００７２】
（６）上記実施形態では、計測期間中における診断用モジュール３０の設置場所は、太陽電池パネル２０の設置場所と同一の場所（太陽電池パネル２０の近傍）であるとしたが、これに限定されない。計測期間中における診断用モジュール３０の設置場所は、設置条件（日射量や気温等）が、太陽電池パネル２０と同様になる場所であれば、同一の場所に限らず、太陽電池パネル２０の設置場所とは異なる場所であってもよい。
【００７３】
（７）上記実施形態では、診断用モジュール３０は、利用されない場合には、所定の保管場所で保管されるとしたが、これに限定されない。診断用モジュール３０は、利用されない場合には、太陽電池パネル２０が設置された場所と同一の場所で、シート等で覆うことで劣化を防いでもよい。つまり、診断用モジュール３０は、利用されない場合には、劣化を防ぐ状態で保管されていれば、その保管場所は問わない。
【００７４】
（８）上記実施形態では、太陽電池パネル２０は、建物の屋根２に設置されるとしたが、これに限定されない。太陽電池パネル２０は、太陽光を受光し発電が可能な場所であれば、その場所は問わない。
【００７５】
（９）上記各実施形態および変形例を組み合わせてもよい。
【００７６】
１．４  まとめ
以上説明したように、診断装置１０は、取得部１５と診断部１６とを備えることを特徴とする。取得部１５は、所定の期間（計測期間）において太陽電池パネル２０が発電する発電電力を表す電力データと、計測期間中において診断用モジュール３０が発電する診断用電力を表す診断用データ（第３診断用データ）とを取得する。診断部１６は、取得部１５で取得された診断用データを用いて太陽電池パネル２０が劣化していないと仮定した場合における計測期間での見做し電力量を算出する。診断部１６は、電力データで表される発電電力から得られる発電電力量と見做し電力量とを比較して、太陽電池パネル２０の劣化を診断する。
【００７７】
この構成によると、診断装置１０は、診断用データから見做し電力量を算出し、見做し電力量と、太陽電池パネル２０の発電電力量とを比較することで、長期にわたる緩慢劣化に起因した比較的小さな発電量低下を検知することが可能となる。つまり、診断装置１０は、太陽電池パネル２０の長期にわたる緩慢劣化を診断（検出）することができる。
【００７８】
ここで、取得部１５は、計測期間前において、さらに、所定の標準環境下で診断用モジュール３０が発電する出力電力を表す第１データ（第１診断用データ）を取得する。取得部１５は、計測期間後において、さらに、標準環境下で診断用モジュール３０が発電する出力電力を表す第２データ（第２診断用データ）を取得する。診断部１６は、第１データと第２データとを用いて計測期間における診断用モジュール３０の劣化度を算出する。診断部１６は、算出された診断用モジュール３０の劣化度を用いて診断用データを補正することで、診断用モジュール３０が計測期間で発電した診断用電力量を取得し、取得した診断用電力量を用いて見做し電力量を算出することが好ましい。
【００７９】
この構成によると、診断装置１０は、第１データおよび第２データ（第１診断用データおよび第２診断用データ）と、診断用データ（第３診断用データ）とから見做し電力量を算出することができる。
【００８０】
ここで、診断部１６は、診断用モジュール３０が定格で診断用電力量を発電した場合における発電時間を算出し、発電時間と太陽電池パネル２０の定格の発電電力とから見做し電力量を算出することが好ましい。
【００８１】
この構成によると、診断装置１０は、診断用モジュール３０が定格で診断用電力量を発電した場合における発電時間と、太陽電池パネル２０の定格とから見做し電力量を算出することができる。
【００８２】
また、診断システム１は、上記いずれかの診断装置１０と、第１計測装置４０と、第２計測装置５０と、診断用モジュール３０とを備えることを特徴とする。第１計測装置４０は、太陽電池パネル２０で発電される発電電力を計測し、計測された発電電力を表す電力データを診断装置１０へ出力する。第２計測装置５０は、診断用モジュール３０で発電される診断用電力を計測し、計測された診断用電力を表す診断用データを診断装置１０へ出力する。
【００８３】
この構成によると、診断システム１は、太陽電池パネル２０の長期にわたる緩慢劣化を診断することができる。
【００８４】
ここで、診断システム１において、診断用モジュール３０は、第２計測装置５０と着脱可能であるとすることが好ましい。
【００８５】
この構成によると、診断用モジュール３０を利用しない場合には、第２計測装置５０から切り離して、他の場所で保管することで、劣化を防ぐことができる。また、計測期間前後では、第２計測装置５０から切り離して、標準環境である別の場所へ持ち運ぶことができる。
【００８６】
また、本発明の診断方法は、取得処理と診断処理とを含むことを特徴とする。取得処理は、所定の期間（計測期間）において太陽電池パネル２０が発電する発電電力を表す電力データと、計測期間中において診断用モジュールが発電する診断用電力を表す診断用データ（第３診断用データ）とを取得する。診断処理は、取得処理で取得された診断用データを用いて太陽電池パネル２０が劣化していないと仮定した場合における計測期間での見做し電力量を算出する。診断処理は、電力データで表される発電電力から得られる発電電力量と見做し電力量とを比較して、太陽電池パネル２０の劣化を診断する。
【００８７】
この診断方法によると、長期にわたる緩慢劣化を診断することができる。
【図１】
2016170558.tif 000011
【図２】
2016170558.tif 000012
【図３】
2016170558.tif 000013
【国際調査報告】
2016170558.tif 000014
2016170558.tif 000015